(57)【要約】【課題】リアスピーカ側をコードレス化する。【解決手段】リアスピーカをコードレスとする。リアスピーカ本体２６Ｌ、２６Ｒには、音声信号受信部４０Ｌ、４０Ｒの他、音声信号受信部の電源部として充電式の内部電源部と外部電源端子が設けられる。外部電源端子の他にフロントスピーカに供給される音声信号を受ける信号入力端子が設けられる。５．１チャンネルサラウンドのときはセンタスピーカを含めて６台のスピーカを配置する。内部電源部に対する充電はフロントスピーカ本体２４Ｌ、２４Ｒ側から電源線５４Ｌ、５４Ｒを介して行う。リアスピーカ本体をフロントスピーカ本体に並置する。さらにこのフロントスピーカ本体よりこのフロントスピーカに供給される音声信号が信号線５５Ｌ、５５Ｒを介してリアスピーカ本体に供給される。５．１チャンネルサラウンドではコードレス化が実現され、充電時は充電を行いながら３．１チャンネルサラウンドを楽しめる。【選択図】        図２
2005236404.tif 000002
【特許請求の範囲】
【請求項１】
システム本体の他、少なくとも２台以上のスピーカを使用したスピーカシステムであって、
上記スピーカを内蔵した１以上のスピーカ本体は、当該スピーカ本体内に音声信号の受信部を備えたコードレススピーカ本体として構成され、
当該コードレススピーカ本体内にはさらに上記受信部に対する充電式の内部電源部が設けられ、
別のスピーカを内蔵した他方のスピーカ本体には、上記内部電源部に対する充電機構部が設けられると共に、
上記電源部の要充電時は、上記充電機構部を介して充電がなされる
ことを特徴とするスピーカシステム。
【請求項２】
上記充電時、上記充電機構部を備えた上記他方のスピーカ本体に供給される音声信号が、上記内部電源部を備えた上記コードレススピーカ本体に供給される
ことを特徴とする請求項１記載のスピーカシステム。
【請求項３】
上記コードレススピーカ本体内には、上記受信部より出力された音声信号と、上記他方のスピーカ本体側より供給された音声信号とを切り替える切り替えスイッチが設けられた
ことを特徴とする請求項２記載のスピーカシステム。
【請求項４】
上記コードレススピーカ本体内には、充電時に使用するコネクタが設けられ、
当該コネクタは、少なくとも上記他方のスピーカ本体側から供給される電源端子と、上記他方のスピーカ本体に供給される音声信号の入力端子を備えた
ことを特徴とする請求項１記載のスピーカシステム。
【請求項５】
上記電源端子側には逆流阻止用のダイオードが接続され、
当該逆流阻止用ダイオードと上記電源端子との間に得られる外部電源電圧が電圧検出・制御部に供給され、
当該外部電源電圧が検出されたときの検出出力で、上記切り替えスイッチが切り替え制御される
ことを特徴とする請求項４記載のスピーカシステム。
【請求項６】
５．１チャンネルサラウンド方式または４チャンネルサラウンド方式のスピーカシステムであって、上記コードレススピーカ本体はリアスピーカ本体である
ことを特徴とする請求項１記載のスピーカシステム。
【請求項７】
５．１チャンネルサラウンド方式または４チャンネルサラウンド方式のスピーカシステムであって、上記他方のスピーカ本体はフロントスピーカ本体である
ことを特徴とする請求項１記載のスピーカシステム。
【請求項８】
５．１チャンネルサラウンド方式または４チャンネルサラウンド方式のスピーカシステムであって、
上記コードレススピーカ本体が充電中であるときは、３．１チャンネルサラウンド方式となるように、上記コードレススピーカ本体が駆動される
ことを特徴とする請求項１記載のスピーカシステム。
【発明の詳細な説明】
【技術分野】
【０００１】
この発明は、５．１チャンネルサラウンド方式や４チャンネルサラウンド方式などに適用して好適なスピーカシステムに関する。
【０００２】
詳しくは、それぞれにスピーカが内蔵された複数のスピーカ本体でスピーカシステムが構成されるとき、特にスピーカ本体に接続される信号線や電源線を引き回すことなく、当該スピーカ本体を駆動できるようにしたスピーカシステムに関する。
【背景技術】
【０００３】
最近のサラウンドステレオなどのオーディオ装置や、ゲームソフト再生装置などでは臨場感を出すために、オーディオ装置やゲームソフト再生装置などに接続されるスピーカシステムとして、５．１チャンネルサラウンド方式や４チャンネルサラウンド方式を採用する場合が多い。
【０００４】
５．１チャンネルサラウンド方式によるスピーカシステムの一例を図４を参照して説明する。図４のように、室内（リスニングルーム）１２には、視聴者（リスナー）１４を基準にして、その前方中央部にはシステム本体１と共にセンタスピーカＣＳが配され、その両側に左右のフロントスピーカＦＬ、ＦＲが配される。視聴者１４の背面側にはその左右にリアスピーカＲＬ、ＲＲが配される。そして、センタスピーカＣＳの隣には極低音域を受け持つサブウーハＳＷが配され、これら５つのスピーカによって音楽や、ゲームの効果音などを視聴するシステムが、５．１チャンネルサラウンド方式によるスピーカシステム１０である。
【０００５】
システム本体１は複数のコンポーネントで構成され、図の場合にはＤＡＴ、ＤＶＤ、ＣＤなどの各種デッキ２を始めとしてＡＤプレーヤ（レコードプレーヤ）４やプリメインアンプ６などが装備され、さらに今日ではゲーム映像やホームシアタを楽しむために映像モニタ（ＣＲＴ、ＬＣＤ、スクリーンなどである。図示はしない）なども備えられるようになってきている。
【０００６】
センタスピーカＣＳはセンタスピーカ本体２２に内蔵され、左右のフロントスピーカＦＬ、ＦＲは左右のフロントスピーカ本体２４Ｌ、２４Ｒ内にそれぞれ内蔵されている。同様に、リアスピーカＲＬ，ＲＲも左右のリアスピーカ本体２６Ｌ、２６Ｒに内蔵され、サブウーハＳＷはサブウーハ本体２８内に収められている。
【０００７】
システム本体１とセンタスピーカ本体２２との間は信号線２３（左右の音声信号（Ｌ＋Ｒ）の接続ケーブル）によって接続される。同様にシステム本体１とフロントスピーカＦＬ、ＦＲとの間は信号線３０Ｌ、３０Ｒによって接続され、サブウーハＳＷとの間も同様な信号線３４によって接続され、そしてシステム本体１とリアスピーカＲＬ，ＲＲとの間も同様な信号線３２Ｌ、３２Ｒによって接続されている。
【０００８】
このように５．１チャンネルサラウンド方式を採用したスピーカシステム１０などでは、多数のスピーカが使用される関係で、室内１２を信号線が引き回されることになり、特にリアスピーカＲＬ，ＲＲに対しては室内１２の壁際を伝って信号線３２Ｌ、３２Ｒが引き回される。
【０００９】
したがって、スピーカを配置換えしたり、室内を掃除したりするときは、この信号線が邪魔になることもしばしばである。信号線がなければ、このような不便もなくなる。信号線をなくしてスピーカを駆動することは既に提案されている（例えば特許文献１および２）。
【００１０】
【特許文献１】特開平１１−１２２６８８号公報
【特許文献２】特開２００３−１３４５９０号公報
【発明の開示】
【発明が解決しようとする課題】
【００１１】
ところで、特許文献１には、信号送信装置とその受信装置とを有し、送信装置側には電子楽器を配し、受信装置側にはスピーカを配置する技術が開示されている。
【００１２】
スピーカを備えた受信装置側には、信号受信手段、スピーカを駆動するためのアンプなどが必要なために、音声信号に関してはコードレス構成となるが、信号受信手段やアンプ等を駆動するための電源が必要になり、その電源コードを受信装置側に備えなくてはならない。
【００１３】
そのため、完全なコードレス化となっていないため、スピーカの配置換えをするときや、室内を掃除するときにはこの電源コードが邪魔になることがある。さらにこの特許文献１の技術は、複数のスピーカ、特に５．１チャンネルサラウンド方式や４チャンネルサラウンド方式のようなスピーカシステムに適用したものでもないので、電源コードまでコードレス化する技術は開示されていない。
【００１４】
また、特許文献２には、コードレススピーカ装置を実現するにあたり、充電作業の不具合を解消するため、充電用コンデンサである電気２重層コンデンサに対する過充電を防止する手段が開示されている。
【００１５】
この特許文献２の対象とするスピーカ装置は、テレビ受像機で受信した音声信号をテレビ受像機本体から離れたスピーカ装置に対して適用されるもので、当該スピーカ装置をコードレス化するために、専用の充電装置が必要になる。つまり、スピーカ装置を駆動する前にこの専用の充電装置を使用して上述したコンデンサを充電する必要がある。
【００１６】
したがってこの特許文献２には、複数のスピーカを使用したスピーカシステムで、そのうちの幾つかをコードレス化したとき、コードレススピーカ本体の充電を、より簡易な装置を使用して行う具体的な手法については開示されていない。
【００１７】
そこで、この発明はこのような従来の課題を解決したものであって、特に複数のスピーカのうち、１以上のスピーカ本体には充電式の内部電源部と、音声信号の受信部とを設け、他のスピーカ本体には当該内部電源部に対する充電機構部を設けることで、当該スピーカ本体をコードレス式に構成できるようにしたスピーカシステムを提案するものである。
【課題を解決するための手段】
【００１８】
上述の課題を解決するため、請求項１に記載したこの発明に係るスピーカシステムでは、  システム本体の他、少なくとも２台以上のスピーカを使用したスピーカシステムであって、上記スピーカを内蔵した１以上のスピーカ本体は、当該スピーカ本体内に音声信号の受信部を備えたコードレススピーカ本体として構成され、当該ワイヤレススピーカ本体内にはさらに上記受信部に対する充電式の内部電源部が設けられ、他方のスピーカ本体には、上記内部電源部に対する充電機構部が設けられると共に、上記内部電源部の要充電時は、上記充電機構部を介して充電がなされることを特徴とする。
【００１９】
この発明では、５．１チャンネルサラウンド方式や４チャンネルサラウンド方式のように複数のスピーカを使用したスピーカシステムに適用される。５．１チャンネルサラウンド方式の場合、視聴者（リスナー）の前面側に４台のスピーカ（センタスピーカＣＳと一対のフロントスピーカＦＬ、ＦＲおよびサブウーハＳＷ）が配され、背面側には２台のスピーカ（リアスピーカＲＬ、ＲＲ）が配される。
【００２０】
これら６台のスピーカには何れも音声信号用の信号線が接続されるが、本発明では特にリアスピーカに対して信号線をなくす。つまり、コードレススピーカ（ワイヤレススピーカ）とする。そのため、当該リアスピーカを内蔵したコードレススピーカ本体には、音声信号（Ｌ、Ｒ）の受信部が設けられ、スピーカシステム本体（センタスピーカが内蔵されたスピーカ本体）側には当該音声信号の送信部が設けられる。
【００２１】
さらにコードレススピーカ本体には音声信号受信部の電源部として充電式の電源部（二次電池を使用した電源部など）が設けられると共に、当該電源部を充電するための外部電源端子が設けられる。好ましくは、この外部電源端子の他に、フロントスピーカに供給される音声信号（Ｌ、Ｒ）を受ける信号入力端子が設けられる。
【００２２】
５．１チャンネルサラウンドで音楽などを楽しむときは、通常の５．１チャンネルサラウンドとなるようにセンタスピーカを含めて６台のスピーカを配置する。２台のリアスピーカの本体（コードレススピーカ本体）にはそれぞれ音声信号の受信部が設けられているので、内部の電源部を立ち上げると共に、システム本体側から送信された音声信号を受信することでリアスピーカを駆動できるから、これによって本来の５．１チャンネルサラウンドを楽しむことができる。
【００２３】
内部電源部の充電容量が十分でなくなったときには、外部電源端子を介して充電を行う。例えば、この充電はフロントスピーカ本体に設けられた充電機構部を構成するコネクタを介して行う。そのため、リアスピーカ本体をフロントスピーカ本体に並置する。さらにこのシステム本体よりこのフロントスピーカに供給される音声信号（Ｌ、Ｒ）が、リアスピーカ本体に設けられた信号入力端子を介してリアスピーカに供給される。
【００２４】
これによって、リアスピーカ本体に設けられた内部電源部への充電を行うと同時に、リアスピーカにはフロントスピーカと同じ左右の音声信号が供給されるため、充電を行いながら３．１チャンネルサラウンドを楽しむことができる。
【００２５】
フロントスピーカ本体とリアスピーカ本体との接続は接続ケーブル（電源線と音声信号用信号線）で行うことができる。また、こうするためにはフロントスピーカ本体にもシステム本体から電源を供給する必要があるので、フロントスピーカ本体とシステム本体との間を接続ケーブル（電源線）で結ぶ。電源線を用いることで、コードレススピーカ本体に対する専用の充電装置が不要になる。
【００２６】
このように、リアスピーカ本体内に充電式の内部電源部と、音声信号の受信部および充電用の外部電源端子を設け、また他方のスピーカ本体に当該内部電源部に対する充電機構部を備えることで、リアスピーカ本体をコードレス式に構成できるので、信号線や電源線の引き回しを行うことなく、５．１チャンネルサラウンドや４チャンネルサラウンドを楽しむことができる。充電時には、充電と同時に３．１チャンネルサラウンドを楽しむことができる。
【発明の効果】
【００２７】
この発明では、リアスピーカ本体より信号線や充電用の電源線をなくすことで、使い勝手のよいスピーカシステムを構築できる。特に、この発明を５．１チャンネルサラウンド方式などのスピーカシステムに適用した場合には、２台のリアスピーカに対する信号線を省けるので、配置替えなどのときに便利である。
【００２８】
また、充電時リアスピーカにもフロントスピーカに供給する音声信号を供給するようにすると、充電しながら３．１チャンネルサラウンドとしても楽しむことができる。
【００２９】
充電は他のスピーカ本体に設けられた充電機構部に接続された電源線を介して行うので、内部電源部に対する専用の充電装置が不要になるなどの効果がある。
【発明を実施するための最良の形態】
【００３０】
続いて、この発明に係るスピーカシステムの好ましい実施例を図面を参照して詳細に説明する。
図１は、この発明を５．１チャンネルサラウンドのスピーカシステム１０に適用した場合である。５．１チャンネルサラウンドスピーカシステムであるので、図４に示したように、スピーカはトータル６台使用される。
【００３１】
スピーカの配置も図４の従来例で説明した通りであって、センタスピーカＣＳを挟んで、その左右にＬ、ＲのフロントスピーカＦＬ、ＦＲが配置される。そして、リスナー１４の背面側の両側にＬ、Ｒ用のリアスピーカＲＬ，ＲＲが配置されると共に、センタスピーカＣＳ側には１００Ｈｚ以下の低音域を扱うサブウーハＳＷが配置されてスピーカシステム１０が構築される。
【００３２】
システム本体１には、上述したように音声信号やビデオ信号などを受信し、復調し、再生し、増幅し、そして出力するオーディオや、ゲーム用ビデオなどを取り扱うデッキ２を始めとして各種のコンポーネントが装備されている。この例では図４の従来例と同じくデッキ２の他に、ＡＤプレーヤ４、プリメインアンプ６などが設けられている。また必要に応じて、映像モニタなどが設けられる。
【００３３】
この発明ではこのシステム本体１内に、さらにリアスピーカＲＬ，ＲＲに供給する音声信号を送信する送信部３６が設けられている。５．１チャンネルサラウンドによってリスニングするときには、この送信部３６を駆動して音声信号（例えば電波）がリアスピーカＲＬ，ＲＲに向けて送信される。
【００３４】
システム本体１とセンタスピーカ本体２２との間は音声信号（Ｌ＋Ｒ）用の信号線２３によって接続される。同様に、システム本体１とサブウーハＳＷとの間は音声信号（Ｌ＋Ｒ）用の信号線３４によって接続され、またフロントスピーカＦＬ，ＦＲとの間も、左右の音声信号用信号線３０Ｌ、３０Ｒによって相互が接続される。さらにフロントスピーカ本体２４Ｌ、２４Ｒにはシステム本体１より充電時に使用される電源線（電源ケーブル）４９Ｌ、４９Ｒが導出されている。電源線４９Ｌ、４９Ｒについては後述する。
【００３５】
信号線３０Ｌと電源線４９Ｌおよび信号線３０Ｒと電源線４９Ｒは、図のようにそれぞれ別々のケーブルを使用してもよいし、合体されたケーブルを使用してもよい。
【００３６】
また、システム本体１には信号線３０Ｌ、３０Ｒおよび電源線４９Ｌ、４９Ｒをそれぞれ接続するため、Ｌ、Ｒ用のコネクタ５０Ｌ、５０Ｒがそれぞれ設けられている。これに対し、左右側のフロントスピーカ本体２４Ｌ、２４Ｒには接続用のコネクタ５１Ｌ、５１Ｒが設けられている。
【００３７】
一方、リアスピーカ本体２６Ｌ、２６Ｒには、それぞれ音声信号を受信する受信部４０Ｌ、４０Ｒが設けられると共に、それぞれ受信アンテナ４１Ｌ、４１Ｒをもったこれら受信部４０Ｌ、４０Ｒを、それぞれ駆動するための電源部（内部電源部であり、後述する）が設けられている。この内部電源部は充電式に構成される。
【００３８】
このように受信部４０Ｌ、４０Ｒと充電式の電源部を設けることによってリアスピーカ本体２６Ｌ、２６Ｒをコードレススピーカ本体として構成できる。以下、リアスピーカ本体２６Ｌ、２６Ｒを同一符号を付してコードレススピーカ本体として説明する。
【００３９】
これらコードレススピーカ本体２６Ｌ、２６Ｒにはさらにコネクタ４３Ｌ、４３Ｒが設けられている。コネクタ４３Ｌ、４３Ｒはコードレススピーカ本体２６Ｌ、２６Ｒ内の電源部が充電を要するときに使用されるコネクタであって、電源部に対する充電用の電源端子と、さらにこの例では充電のときにもリアスピーカＲＬ，ＲＲを駆動するための音声信号入力端子の双方が設けられている。
【００４０】
さらに、リスナー１４の前面側に配される複数のスピーカ本体のうち、この例ではフロントスピーカ本体２４Ｌ、２４Ｒに、上述した内部電源部に対する充電機構部が設けられる。
【００４１】
この充電機構部は単純な接続用コネクタとして構成されるもので、電源線と信号線に対するスピーカ本体への入力側および出力側にそれぞれ設けられた一対のコネクタ（５１Ｌ、４４Ｌ）、（５１Ｒ、４４Ｒ）で構成される。
【００４２】
このように構成されたスピーカシステム１０にあって、通常の使用態様である５．１チャンネルサラウンドリスニングモードでは、図１に示すようなスピーカ配置となる。システム本体１の電源を立ち上げることで、センタスピーカＣＳはもとより、左右のフロントスピーカＦＬ、ＦＲおよびサブウーハＳＷより音声信号が出力される。さらに、送信部３６および受信部４０Ｌ、４０Ｒをそれぞれ動作状態とすることで、送信部３６から送信されたＲ、Ｌチャンネルの音声信号はそれぞれ受信部４０Ｌ、４０Ｒで受信することができるから、リアスピーカＲＬ，ＲＲよりＬ、Ｒチャンネルの音声信号Ｌ、Ｒを出力することができ、これによって５．１チャンネルサラウンドを楽しむことができる。
【００４３】
コードレススピーカ本体２６Ｌ、２６Ｒを充電するときには、図２に示すようにフロントスピーカ２４Ｌ、２４Ｒを介して行う。そのため、Ｌチャンネル用のコードレススピーカ本体２６ＬをＬチャンネル用のフロントスピーカ本体２４Ｌに近接並置し、Ｒチャンネル用のコードレススピーカ本体２６ＲをＲチャンネル用のフロントスピーカ本体２４Ｒに近接並置する。
【００４４】
この並置作業は非常に簡単である。それは、何れのスピーカ本体２６Ｌ、２６Ｒにも信号線や電源線などの接続コードなどがないため、コンセントから電源コードを抜いたり、電源コードや信号線をまとめたりといった作業が全く不要になるためである。
【００４５】
コードレススピーカ本体２６Ｌ、２６Ｒを並置した状態で、Ｌチャンネル用のコネクタ４４Ｌと４３Ｌとの間が電源線５４Ｌによって接続され、さらにこの例では音声信号用の信号線５５Ｌによってコネクタ４４Ｌと４３Ｌとの間が接続される。その結果、電源線５４Ｌは電源線４９Ｌに接続され、信号線５５Ｌは信号線３０Ｌに接続されたことになる。
【００４６】
同じく、Ｒチャンネル用のコネクタ４４Ｒと４３Ｒとの間も電源線５４Ｒと、さらにこの例では音声信号用の信号線５５Ｒによってそれぞれ接続されることで、電源線５４Ｒは電源線４９Ｒに接続され、信号線５５Ｒは信号線３０Ｒに接続されたことになる。
【００４７】
このような接続を行うことによって、システム本体１より所定の直流電圧を電源線４９Ｌ、４９Ｒに印加すれば、電源線４９Ｌ、５４Ｌおよび４９Ｒ、５４Ｒをそれぞれ介して、コードレススピーカ本体２６Ｌ、２６Ｒの内部電源部に対する充電が行われる。さらに、信号線３０Ｌ、３０Ｒを介してフロントスピーカＦＬ、ＦＲにＬおよびＲチャンネルの音声信号が供給され、同時にこの音声信号がさらに信号線５５Ｌ、５５Ｒをそれぞれ介してリアスピーカＲＬ，ＲＲにも供給されるから、これによって充電しながら３．１チャンネルサラウンドを楽しむことができる。
【００４８】
図３は図２の接続状態での内部構成を示す概念図である。図３は特にＬチャンネル側の構成を示す。Ｒチャンネル側の構成は同一であるので、その構成および説明は割愛する。
【００４９】
システム本体１から説明する。デッキ２としてオーディオ受信系のデッキを例示すると、アンテナ６０で受信した放送波は、オーディオ受信装置６１を構成するチューナ６２によって希望するチャンネルが選局され、選局されたチャンネルの音声信号は復調部６４にて復調され、音声信号はさらに５．１チャンネルサラウンドとするための信号処理が行われた後、ラインアンプを経て対応するスピーカに供給される。
【００５０】
そのため、まずセンタ用のラインアンプ６６（６６Ｃ）および信号線２３を経てセンタ用の音声信号がセンタスピーカＣＳに供給される。次にフロント用ラインアンプ６６Ｆを経由してＬチャンネルフロント用の音声信号がコネクタ５０Ｌ側に導出される。同様に、サブウーハ用ラインアンプ６６Ｒを経由してサブウーハ用の音声信号が外部に導出される。
【００５１】
さらに復調された音声信号のうちリアスピーカ用の音声信号（Ｌ、Ｒチャンネル）が送信部３６に供給されて送信アンテナ３７より送信される。
【００５２】
システム本体１にはさらに、記録再生装置６５が設けられ、ＤＶＤなどのディスクより再生された５．１チャンネル用の音声信号が上述したラインアンプ６６をそれぞれ経由して対応するスピーカＣＳ、ＦＬ、ＦＲおよびＳＷに供給されると共に、送信部３６にも供給されてリアスピーカＲＬ，ＲＲに音声信号が供給されるように構成されている。その詳細な接続関係図は割愛する。
【００５３】
システム本体１にはさらに動作電源部６８が設けられる。この動作電源部６８はシステム本体１に内蔵される全ての電源として使用されるものである。さらに、この動作電源部６８はコードレススピーカ本体２６Ｌ、２６Ｒに対する充電用の電源部としても機能する。
【００５４】
そのため、この例では動作電源部６８に接続される電源ラインのうち、外部に導出する特定の電源線６７には電源スイッチ６９が接続されている。この電源スイッチ６９はコードレススピーカ本体２６Ｌ、２６Ｒ内の内部電源部に対して充電を行うときオン状態に切り替え制御される。
【００５５】
この切り替え制御は例えばリモコン信号によって制御することができる。電源線６７はコネクタ５０Ｌに接続された電源線４９Ｌに接続されるもので、リモコン受信部７０で受信した電源オン信号に基づいて電源スイッチ６９がオン状態に切り替え制御される。このようにコードレススピーカ本体２６Ｌ、２６Ｒが充電モードとなったときのみ、電源線６７側に所定の直流電圧を印加するようにしたのは、安全性を考慮したためである。
【００５６】
なお、このリモコン受信部７０は、システム本体１のみならず、スピーカシステム１０全体の制御を司るために使用される。
【００５７】
フロントスピーカ本体２４Ｌの構成を次に説明する。このフロントスピーカ本体２４Ｌには上述したフロントスピーカＦＬが内蔵されているが、この他は、一対の充電機構部を構成する接続用コネクタ５１Ｌ、４４Ｌがあるのみである。したがって本体内部にはコネクタ５１Ｌ、４４Ｌ同士は、２本の接続線９１，９２によって結線されている。
【００５８】
リアスピーカ本体であるコードレススピーカ本体２６Ｌは以下のように構成されている。受信部４０Ｌから説明する。アンテナ４１Ｌおよび受信回路（高周波回路）７１において音声信号が受信され、そして受信された音声信号がこの受信回路７１で復調される。復調された音声信号はアンプ７２および切り替えスイッチ７４を介してリアスピーカＲＬに供給される。
【００５９】
コードレススピーカ本体２６Ｌ内にはさらに内部電源部７８が設けられる。この内部電源部７８は充電式の電源部であって、例えば二次電池などが使用される。この内部電源部７８の内部電源電圧は電源スイッチ８０を介して上述した受信部４０Ｌの各回路にその駆動電圧として供給される。
【００６０】
この内部電源電圧はさらに、充電用の外部直流電圧が印加されたときの、印加電圧検出用として設けられた電圧検出・制御部８２に対する動作電圧としても供給される。内部電源部７８の端子電圧は電圧検出部８４によって監視され、動作電圧として充分であるか否かが検出される。この例では、所定電圧以上であるときは電圧検出部８４の出力によって制御される表示灯例えばＬＥＤ８６が点灯し、所定電圧以下であるときはＬＥＤ８６が点滅するような点灯制御が行われる。視聴者はこのＬＥＤ８６の点灯状態によって、充電すべきか否かを判断できる。
【００６１】
内部電源部７８に対して外部より充電を行うため、この例では内部電源部７８が電源スイッチ８０および逆流阻止用のダイオード７６を介してコネクタ４３Ｌに設けられた電源端子９４ａに接続される。
【００６２】
内部電源部７８を充電するときは、電源スイッチ８０をオンすることで電源端子９４ａを介して外部より所定の直流電圧が内部電源部７８に印加される。この電圧印加によって内部電源部７８が充電される。この外部より印加される直流電圧は、内部電源部７８に対する充電電圧として使用される他に、受信部４０Ｌに対する駆動電圧としても使用される。
【００６３】
ところで、上述した切り替えスイッチ７４には受信した音声信号の他に、コネクタ４３Ｌに設けられた信号入力端子９４ｂ経由の音声信号が供給される。５．１チャンネルサラウンドのときはアンテナ４１Ｌより受信したリアスピーカ用の音声信号に切り替え、充電時には３．１チャンネルサラウンドとして視聴できるようにするため、フロントスピーカ本体２４Ｌに供給されるフロントスピーカ用の音声信号に切り替えるためである。
【００６４】
そのため、切り替えスイッチ制御用の電圧検出・制御部８２が設けられる。この電圧検出・制御部８２には電源端子９４ａに印加された直流電圧が逆流阻止用ダイオード７６を介してその動作電圧として供給されると共に、逆流阻止用ダイオード７６と電源端子９４ａとの間の直流電圧が検出電圧として供給される。
【００６５】
電源端子９４ａに直流電圧が印加されていないときは、電圧検出・制御部８２には検出電圧が供給されないので、その場合には切り替えスイッチ７４は実線図示のように元の切り替え状態を保持する。その結果、切り替えスイッチ７４の端子ａ側に供給された音声信号がリアスピーカＲＬから出力される。つまり通常の５．１チャンネルサラウンドモードである。
【００６６】
しかし、内部電源部７８に対する充電時には、フロントスピーカ本体２４Ｌに近接してリアスピーカ本体２６Ｌが並置されると共に、電源端子９４ａには外部より（換言すれば、フロントスピーカ本体２４Ｌより）、電源線５４Ｌを介して所定の直流電圧が印加されるため、このときには電圧検出・制御部８２には所定の検出電圧が電源端子９４ａを介して印加され、直流電圧の印加状態が検出される。
【００６７】
その結果、電圧検出・制御部８２からの出力で切り替えスイッチ７４は破線図示のように切り替えられる。この切り替えスイッチ７４の端子ｂ側には信号入力端子９４ｂを介してＬチャンネル用の音声信号が供給されているので、フロントスピーカＦＬと同じ音声信号がリアスピーカＲＬから出力される。したがってこの場合には３．１チャンネルサラウンドモードとなる。
【００６８】
このように、コードレススピーカ本体２６Ｌの内部電源部７８を充電するときには、３．１チャンネルサラウンドモードでリスニングしながら充電を行うことができる。つまり、充電しながら３．１チャンネルサラウンドを楽しむことができる。
【００６９】
なお、上述した逆流阻止用ダイオード７６は、内部電源部７８のみで受信部４０Ｌを駆動しているときに、この内部電源部７８の電圧を、電圧検出・制御部８２が、外部からの充電電圧として検出しないようにするためのものである。
【００７０】
また、上述した電源スイッチ８０は内部に設けられたリモコン受信部８８で受信したリモコン信号に基づいて、そのオンオフが制御されるようになされている。この例では、スピーカシステム１０が動作状態でないとき、つまりシステム全体が休止しているときは、電源スイッチ８０をオフにしておき、電力の浪費を回避するようにしたものである。充電中は、フロントスピーカ本体２４Ｌ、２４Ｒのみを駆動するように構成することもできる。このときは、受信部４０Ｌ、４０Ｒに対する動作電圧の供給を停止すればよい。
【００７１】
上述した実施例は、この発明を５．１チャンネルサラウンド方式のスピーカシステムに適用したが、例えば４チャンネルサラウンド方式のスピーカシステムなどにも適用できることは容易に理解できる。この場合も、リアスピーカ側がコードレススピーカとなるように構成されると共に、充電部が設けられる。そしてフロントスピーカ側に充電機構部が設けられ、このフロントスピーカを介して信号伝送および充電を行うことによって、２チャンネルステレオとして楽しみながら、充電を行うことができる。
【産業上の利用可能性】
【００７２】
この発明は、５．１チャンネルサラウンド方式や４チャンネルサラウンド方式を採用したスピーカシステムなどに適用できる。
【図面の簡単な説明】
【００７３】
【図１】この発明に係るスピーカシステムを５．１チャンネルサラウンド方式に適用した場合のスピーカ配置関係を示す概念図である。
【図２】コードレススピーカ本体を充電するときの３．１チャンネルサラウンドによる駆動状態でのスピーカ配置関係を示す概念図である。
【図３】充電時の結線状態を示す構成図である。
【図４】５．１チャンネルサラウンド方式によるスピーカ配置関係を示す図である。
【符号の説明】
【００７４】
１・・・システム本体、２・・・デッキ、４・・・プレーヤ、６・・・プリメインアンプ、１０・・・スピーカシステム、１２・・・リスニングルーム、１４・・・リスナー、２２・・・センタスピーカ本体、２４Ｌ、２４Ｒ・・・フロントスピーカ本体、２６Ｌ、２６Ｒ・・・リアスピーカ本体（コードレススピーカ本体）、２８・・・サブウーハ本体、３６・・・送信部、４０Ｌ、４０Ｒ・・・受信部、３０Ｌ、３０Ｒ、５５Ｌ・・・信号線、４９Ｌ、４９Ｒ、５４Ｌ・・・電源線、４３Ｌ、４４Ｌ、５０Ｌ、５０Ｒ、５１Ｌ・・・コネクタ、９４ａ・・・電源端子、９４ｂ・・・信号入力端子、７８・・・内部電源部、８２・・・電圧検出・制御部、７４・・・切り替えスイッチ
【図１】
2005236404.tif 000003
【図２】
2005236404.tif 000004
【図３】
2005236404.tif 000005
【図４】
2005236404.tif 000006